(57)【要約】【課題】原稿データから印刷不要な余白を除いた領域を印刷媒体に印刷可能な最大の拡大倍率をユーザーが設定することを容易にする。【解決手段】印刷装置は、原稿データを取得する取得部と、前記原稿データから余白を除いて印刷対象領域を特定する原稿解析部と、拡大指示を受け付ける指示受付部と、前記拡大指示に応じて、前記印刷対象領域の全体を印刷媒体に印刷可能な最大の拡大倍率を設定するレイアウト部と、前記印刷媒体のサイズと前記拡大倍率とを反映した前記原稿データの印刷プレビューを表示する表示部と、を備える。【選択図】図５
2017135492.tif 000002
【特許請求の範囲】
【請求項１】
原稿データを取得する取得部と、
前記原稿データから余白を除いて印刷対象領域を特定する原稿解析部と、
拡大指示を受け付ける指示受付部と、
前記拡大指示に応じて、前記印刷対象領域の全体を印刷媒体に印刷可能な最大の拡大倍率を設定するレイアウト部と、
前記印刷媒体のサイズと前記拡大倍率とを反映した前記原稿データの印刷プレビューを表示する表示部と、
を備える印刷装置。
【請求項２】
前記レイアウト部は、第一の前記拡大指示を受け付けると前記原稿データの全体を前記印刷媒体に印刷可能な最大の拡大倍率を設定し、第二の前記拡大指示を受け付けると前記印刷対象領域の全体を前記印刷媒体に印刷可能な最大の拡大倍率を設定する、
請求項１に記載の印刷装置。
【請求項３】
前記指示受付部は、前記印刷対象領域の全体を前記印刷媒体に印刷可能な最大の前記拡大倍率が設定された状態において、前記印刷媒体の余白の配置を選択するための配置指示を受け付ける、
請求項１又は２に記載の印刷装置。
【請求項４】
前記レイアウト部は、前記印刷対象領域と前記印刷媒体の姿勢に応じて前記印刷媒体に対して前記印刷対象領域を回転させる、
請求項１から３のいずれか一項に記載の印刷装置。
【請求項５】
コンピューターを、
原稿データを取得する取得部と、
前記原稿データから余白を除いて印刷対象領域を特定する原稿解析部と、
拡大指示を受け付ける指示受付部と、
前記拡大指示に応じて、前記印刷対象領域の全体を印刷媒体に印刷可能な最大の拡大倍率を設定するレイアウト部と、
前記印刷媒体のサイズと前記拡大倍率とを反映した前記原稿データの印刷プレビューを表示する表示部と、
として機能させる印刷制御プログラム。
【発明の詳細な説明】
【技術分野】
【０００１】
本発明は印刷装置および印刷制御プログラムに関する。
【背景技術】
【０００２】
従来、ユーザーが印刷プレビューを確認しながら任意の拡大倍率を設定できる複写機が知られている。特許文献１には、定型の印刷媒体に印刷媒体とは異なるサイズの原稿データを印刷可能な最大の拡大倍率を自動設定する技術が開示されている。
【先行技術文献】
【特許文献】
【０００３】
【特許文献１】特許第５６３０７６３号公報
【発明の概要】
【発明が解決しようとする課題】
【０００４】
ところで定型領域から原稿データを読み取る複写機では、非定型の原稿を複写する場合には、印刷不要な余白が原稿データに含まれることになる。しかし、特許文献１に開示された技術では、原稿データから印刷不要な余白を除いた領域を印刷媒体に印刷可能な最大の拡大倍率を自動設定することができないという問題がある。
【０００５】
本発明は、このような問題を解決するために創作されたものであって、拡大倍率をユーザーが設定することを容易にする技術の提供を目的の一つとする。
【課題を解決するための手段】
【０００６】
（１）上記目的を達成するための印刷装置は、原稿データを取得する取得部と、前記原稿データから余白を除いて印刷対象領域を特定する原稿解析部と、拡大指示を受け付ける指示受付部と、前記拡大指示に応じて、前記印刷対象領域の全体を印刷媒体に印刷可能な最大の拡大倍率を設定するレイアウト部と、前記印刷媒体のサイズと前記拡大倍率とを反映した前記原稿データの印刷プレビューを表示する表示部と、を備える。原稿データから余白を除いた印刷対象領域の全体を印刷媒体に印刷可能な最大の拡大倍率を自動設定する機能を印刷装置に備えることにより、原稿データから印刷不要な余白を除いた領域を印刷媒体に印刷可能な最大の拡大倍率をユーザーが設定することが容易になる。
【０００７】
（２）上記目的を達成するための印刷装置において、前記レイアウト部は、第一の前記拡大指示を受け付けると前記原稿データの全体を前記印刷媒体に印刷可能な最大の拡大倍率を設定し、第二の前記拡大指示を受け付けると前記印刷対象領域の全体を前記印刷媒体に印刷可能な最大の拡大倍率を設定してもよい。この構成を採用することにより、原稿データ全体を印刷しようとする場合にも、原稿データから余白を除いた領域を印刷しようとする場合にも、印刷媒体に印刷可能な最大の拡大倍率をユーザーが設定することが容易になる。
【０００８】
（３）上記目的を達成するための印刷装置において、前記指示受付部は、前記印刷対象領域の全体を前記印刷媒体に印刷可能な最大の前記拡大倍率が設定された状態において、前記印刷媒体の余白の配置を選択するための配置指示を受け付けてもよい。この構成を採用することにより、印刷物の余白の配置をユーザーが選択可能になる。
【０００９】
（４）上記目的を達成するための印刷装置において、前記レイアウト部は、前記印刷対象領域と前記印刷媒体の姿勢に応じて前記印刷媒体に対して前記印刷対象領域を回転させてもよい。この構成を採用することにより、印刷対象領域を回転させた場合に印刷媒体に印刷可能な最大の拡大倍率をユーザーが設定することが容易になる。
【００１０】
なお、請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は、印刷制御プログラムまたはその記録媒体としても成立する。むろん、その記録媒体は、磁気記録媒体であってもよいし光磁気記録媒体であってもよいし、今後開発されるいかなる記録媒体であってもよい。
【図面の簡単な説明】
【００１１】
【図１】本発明の実施例にかかる印刷システムのネットワーク構成図である。
【図２】本発明の実施例にかかるスマートフォンのブロック図である。
【図３】本発明の実施例にかかる複合機のブロック図である。
【図４】図４Ａは本発明の実施例にかかる読み取り機構を示す斜視図である。図４Ｂは原稿台ガラスとスキャン領域を示す平面図である。
【図５】本発明の実施例にかかるコピー処理のフローチャートである。
【図６】図６Ａは本発明の実施例にかかる原稿とスキャン領域を示す平面図である。図６Ｂから図６Ｅは本発明の実施例にかかる原稿データに基づく画像を示す平面図である。
【図７】本発明の実施例にかかる画面構成図である。
【図８】本発明の実施例にかかる原稿データに基づく画像を示す平面図である。
【図９】本発明の実施例にかかる拡大倍率とタップ回数の関係を示すグラフである。
【発明を実施するための形態】
【００１２】
以下、本発明の実施の形態を図面を参照しながら説明する。尚、各図において対応する構成要素には同一の符号が付され、重複する説明は省略される。
１．印刷装置の構成
図１に、印刷装置の一実施例としての複合機２と、印刷制御プログラムを実行可能なスマートフォン１とを含む印刷システムを示す。
【００１３】
図２に示すように、スマートフォン１は、無線ＬＡＮプロトコルに従って外部機器と通信するための無線ＬＡＮ通信部１３、コンピューターで構成された制御部１２、並びに、指示受付部及び表示部として機能するタッチパネルディスプレイ１１を備えている。制御部１２は、主記憶装置であるＲＡＭ、外部記憶装置であるフラッシュメモリ、プロセッサおよび入出力機構を備え、フラッシュメモリに記憶された印刷制御プログラムをＲＡＭにロードしてプロセッサで実行することにより、取得部、原稿解析部、指示受付部、レイアウト部、および表示部として機能する。
【００１４】
複合機２は、スマートフォン１などの外部装置やリムーバブルメモリに記憶されている原稿データを印刷する印刷機能と、原稿を光学的に読み取って原稿データを生成するスキャン機能と、原稿を複写するコピー機能とを備えている。図３に示すように、複合機２は、指示受付部及び表示部として機能するタッチパネルディスプレイ２１、コンピューターで構成された制御部２２、無線ＬＡＮプロトコルに従って外部機器と通信するための無線ＬＡＮ通信部２３、原稿を読み取って原稿データを生成するスキャン機構２４ならびに印刷媒体に印刷を施す印刷機構２５を備えている。無線ＬＡＮ通信部２３およびスキャン機構２４は、制御部２２に制御されることによって取得部として機能する。制御部２２は、主記憶装置であるＲＡＭ、外部記憶装置であるフラッシュメモリ、プロセッサおよび入出力機構を備え、フラッシュメモリに記憶された印刷制御プログラムをＲＡＭにロードしてプロセッサで実行することにより、取得部、原稿解析部、指示受付部、レイアウト部、表示部として機能する。印刷機構２５には、印字ヘッドや、紙やインクを検出するセンサーや、印字ヘッドと紙を搬送するモーターや、モーターの回転角度や印字ヘッドの位置を検出するエンコーダーが備えられている。本実施例では、印刷機構２５はＡ４、Ａ５、Ｂ５サイズの紙の全体に余白無く印刷可能であるものとする。
【００１５】
スキャン機構２４には、図４に示すように、原稿台ガラス２４１や、主走査方向に長い密着型リニアイメージセンサー２４２や、密着型リニアイメージセンサー２４２を制御する回路や、密着型リニアイメージセンサー２４２の出力信号を処理する回路や、密着型リニアイメージセンサーを原稿台ガラス２４１と平行な副走査方向に移動させるモーターや、モーターの回転角度を検出するエンコーダーが備えられている。定型サイズの原稿を定型サイズの紙にコピーするときに原稿台ガラス２４１に原稿が載置されるべき領域がスキャン領域として定められている。すなわちスキャン領域とスキャン領域から読み取った画像を紙に印刷する領域とは予め対応付けられている。図４Ｂに示すスキャン領域２４１ａは、Ａ４サイズの原稿が載置されるべき領域であって、サイズはＡ４である。スキャン領域２４１ｂは、Ａ５サイズの原稿が載置されるべき領域であって、サイズはＡ５である。
【００１６】
２．印刷制御方法
次に、複合機２のコピー機能を例にして印刷制御方法を説明する。図５Ａに示すコピー処理は、タッチパネルディスプレイ２１がユーザーからコピー指示を受け付けると起動し、制御部２２によって制御される。
【００１７】
はじめに制御部２２は、原稿をスキャン機構２４に読み取らせることにより、図６Ｂに示す原稿データを取得する（Ｓ１）。このとき制御部２２は、スキャン領域２４１ａ、２４１ｂのいずれかを選択し、選択したスキャン領域からスキャン機構２４によって読み取られた原稿データを取得する。制御部２２は、原稿のサイズに応じてスキャン領域のいずれかを選択してもよいし、原稿や紙のサイズとは無関係にもっとも広いスキャン領域を選択しても良いが、本実施例では、印刷機構２５にセットされた紙のサイズに応じたサイズのスキャン領域が選択される。印刷機構２５にセットされた紙のサイズはセンサーで検出しても良いし、ユーザーに入力させても良い。すなわち、印刷機構２５にセットされた紙のアスペクト比と、制御部２２が取得する原稿データのアスペクト比とは等しい。
【００１８】
ここで、印刷機構２５にはＡ５サイズの紙がセットされており、図６Ａに示すようにＡ５サイズよりも小さな原稿３がＡ５サイズのスキャン領域２４１ｂに載置された状態でコピー指示を受け付けたとする。この場合、制御部２２は、印刷機構２５にセットされた紙のサイズに対応するスキャン領域２４１ｂ外の画素データを破棄し、図６Ｂに示すように、スキャン領域２４１ｂ内の画素データで構成される原稿データＩ（１）を制御部２２のＲＡＭに書き込む。
【００１９】
次に制御部２２は、印刷機構２５にセットされている紙のサイズと印刷解像度と原稿データとタッチパネルディスプレイ２１の解像度とに基づいて印刷プレビューをタッチパネルディスプレイ２１に表示する（Ｓ２）。本実施例では画像が紙に余白無く印刷され、原稿データのアスペクト比と紙のアスペクト比が同じであるため、原稿データが表す画像の全体が紙に対応する表示領域全体に印刷プレビューとして表示される。例えば図６Ａに示すように原稿３が原稿台ガラス２４１に載置された場合、印刷プレビューは図６Ｂに示す原稿データＩ（１）が示す画像そのものとなる。
【００２０】
次に制御部２２は、タッチパネルディスプレイ２１を介して原稿データの印刷設定を受け付ける（Ｓ３）。このとき制御部２２は、印刷プレビューとともに拡大倍率を設定するための操作対象オブジェクトを配置した画面をタッチパネルディスプレイ２１に表示し、操作対象オブジェクトに対するユーザーの操作をタッチパネルディスプレイ２１によって検出する。
【００２１】
図７は、原稿データの印刷設定を受け付ける画面の構成例である。印刷プレビュー２１ｎは上述したように原稿データに基づいて表示される。紙のサイズ２１ｍは印刷機構２５にセットされている紙に対応させる。操作対象オブジェクト２１ａ〜２１ｊはタップ操作の対象として表示される。制御部２２は、各操作対象オブジェクトがタップされるとタップされた領域に対応する処理を起動する。
【００２２】
図５Ｂは操作対象オブジェクト２１ｂがタップされると起動する自動変倍処理の流れを示している。操作対象オブジェクト２１ｂに対するタップは、第一の拡大指示に相当する。自動変倍処理は、印刷機構２５にセットされている紙に占める原稿データ全体が表す画像の割合が最も大きくなるように、原稿データの全体を紙に印刷するための処理である。
【００２３】
操作対象オブジェクト２１ｂがタップされると、制御部２２は、原稿データ全体が、設定されている紙の印刷可能領域に収まる最大の拡大倍率を設定する（Ｓ１１）。ここでは原稿データを印刷データに変換するための拡大倍率と原稿データをタッチパネルディスプレイ２１に表示するための拡大倍率の両方が導出される。原稿データを印刷データに変換するための拡大倍率は、設定されている紙のサイズと印刷解像度と原稿データの解像度とに基づいて導出される。原稿データをタッチパネルディスプレイ２１に表示するための拡大倍率は、設定されている紙のサイズと印刷解像度と原稿データの解像度とタッチパネルディスプレイ２１の解像度に基づいて導出される。
【００２４】
なお本実施例では、印刷機構２５にセットされた紙のサイズに応じてスキャン領域が選択されるが、自動変倍処理は、例えば紙のサイズがＡ４であって、Ａ５サイズのスキャン領域２４１ｂから原稿データが読み取られるように、紙のサイズとスキャン領域のサイズが整合していない場合に有効な処理である。このような不整合は、紙のサイズを手動選択したり、スキャン領域を手動選択することを受け付けることによって生じる。図６Ｃは、Ａ５サイズのスキャン領域２４１ｂから原稿データＩ（１）が読み取られた後に、紙のサイズがＢ５に変更された場合の紙Ｐと原稿データＩ（１）の関係を示す模式図である。例えば原稿データと紙が図６Ｃに示す関係にある場合、自動変倍処理では、Ｂ５のサイズと印刷解像度と原稿データの解像度とタッチパネルディスプレイ２１の解像度に基づいて原稿データの全体がＢ５サイズの紙に収まる最大の拡大倍率が導出される。なお、拡大倍率が１未満に設定されれば、原稿データは縮小される。
【００２５】
拡大倍率が設定されると、制御部２２は、設定された拡大倍率と原稿データに基づいて印刷プレビューをタッチパネルディスプレイ２１に表示する（Ｓ１２）。例えば予め決められている印刷解像度において原稿データが表す画像Ｉ（１）と紙Ｐが図６Ｃに示す関係にある場合には、図８Ａに示す印刷プレビューがタッチパネルディスプレイ２１に表示される。図８ＡにおいてＰはＢ５サイズの紙を表している。図８Ａに示すように印刷プレビューが表示されることで、ユーザーは、Ｂ５サイズの紙に原稿３が印刷されると、余白が残らない印刷設定であっても、余白が残ることを認識できる。
【００２６】
図５Ｃは図７に示す操作対象オブジェクト２１ｆがタップされると起動する切り出し拡大処理の流れを示している。操作対象オブジェクト２１ｆに対するタップは、第二の拡大指示に相当する。切り出し拡大処理は、印刷機構２５にセットされている紙に占める原稿画像の割合が最も高くなるように、原稿データから印刷対象領域を切り出し、印刷対象領域の全体を紙に印刷するための処理である。
【００２７】
操作対象オブジェクト２１ｆがタップされると、制御部２２は、原稿データから余白を除いて印刷対象領域を特定し、印刷対象領域を切り出す（Ｓ２１）。コピー処理での印刷対象領域は、スキャン領域に対応する原稿データが表す画像全体のうちで、スキャン領域より小さな原稿の背景に対応する領域である。したがってここでの印刷対象領域には、図１に示すカバー２４３の原稿台ガラス２４１と対向する白色面が表れることになる。また印刷対象領域は矩形として切り出されなければならない。したがって制御部２２は、カバー２４３の原稿台ガラス２４１と対向する白色面に対応する閾値と原稿データの画素値とを比較することにより矩形の印刷対象領域を特定する。例えば図６Ｂに示す原稿データＩ（１）から、制御部２２は図６Ｄに示す印刷対象領域Ｉ（２）を特定して切り出す。
【００２８】
なお、スマートフォン１等の外部装置から原稿データを取得して印刷する処理では、余白の色が未知である。しかし余白の色が未知であっても、画素値の微分による輪郭抽出によって余白と印刷対象領域との矩形境界を特定することが可能である。
【００２９】
次に制御部２２は、印刷対象領域の姿勢と印刷機構２５にセットされている紙の姿勢が一致するか否かを判定する（Ｓ２２）。ここでいう姿勢とは、矩形である印刷対象領域と紙がそれぞれ水平方向に長いか垂直方向に長いかということである。厳密には例えば、印刷対象領域がスキャン機構２４の主走査方向に長く、紙が印刷機構２５による紙の搬送方向に短ければ、印刷対象領域も紙もいわゆる横長の姿勢で一致すると判定される。また印刷対象領域がスキャン機構２４の主走査方向に短く、紙が印刷機構２５による紙の搬送方向に長ければ、印刷対象領域も紙もいわゆる縦長の姿勢で一致すると判定される。
【００３０】
印刷対象領域の姿勢と印刷機構２５にセットされている紙の姿勢が一致しない場合、制御部２２は印刷対象領域を９０度回転させる（Ｓ２３）。例えば、図６Ｄに示すように印刷対象領域Ｉ（２）がスキャン機構２４の主走査方向に長く、印刷機構２５にセットされている紙が印刷機構２５による紙の搬送方向に長い場合、制御部２２は、印刷対象領域Ｉ（２）を回転させて図６Ｅに示す印刷対象領域Ｉ（３）を生成する。
【００３１】
印刷対象領域の姿勢と印刷機構２５にセットされている紙の姿勢が一致すると、制御部２２は原稿データから切り出された印刷対象領域の全体が、印刷機構２５にセットされている紙の印刷対象領域に収まる最大の拡大倍率を導出して設定する（Ｓ２４）。ここでもステップＳ１１と同様に、印刷対象領域を印刷データに変換するための拡大倍率と印刷対象領域をタッチパネルディスプレイ２１に表示するための拡大倍率の両方が導出される。すなわち印刷対象領域を印刷データに変換するための拡大倍率は、設定されている紙のサイズと印刷解像度と印刷対象領域の解像度とに基づいて導出される。印刷対象領域をタッチパネルディスプレイ２１に表示するための拡大倍率は、設定されている紙のサイズと印刷解像度と印刷対象領域の解像度とタッチパネルディスプレイ２１の解像度に基づいて導出される。
【００３２】
次に制御部２２は、設定された拡大倍率と原稿データの印刷対象領域に基づいて印刷プレビューをタッチパネルディスプレイ２１に表示する（Ｓ２５）。例えば自動拡大処理の結果、原稿データＩ（１）とＡ５サイズの紙Ｐが図８Ａに示す関係になっている場合には、印刷対象領域を９０度回転させた画像Ｉ（３）がＡ５サイズの紙を示す枠Ｐの３辺と接するように割り付けられて、図８Ｃに示す印刷プレビューがタッチパネルディスプレイ２１に表示される。図８Ｃに示すように、設定されている紙に対応する枠を印刷プレビューによって表すことで、切り出し拡大処理により、原稿画像が紙からはみ出さない最大の拡大率でＡ５サイズの紙に印刷されることをユーザーは認識することができる。
【００３３】
図５Ｄは、図７に示す操作対象オブジェクト２１ｇ〜２１ｊがタップされると起動する余白調整処理の流れを示している。操作対象オブジェクト２１ｇ〜２１ｊに対するタップは、配置指示に相当する。余白調整処理は、紙に画像が印刷されない余白の位置を紙の４辺のいずれに配置するかを設定する処理である。
【００３４】
操作対象オブジェクト２１ｇ〜２１ｊがタップされると、制御部２２は、各オブジェクトに対応する領域を余白の領域として選択する（Ｓ３１）。ここで操作対象オブジェクト２１ｇ〜２１ｊは、印刷プレビューで表されている紙の左、右、上、下を示すように表示される。
【００３５】
次に制御部２２は、選択された余白の領域と、設定された拡大倍率と印刷対象領域とに基づいて印刷プレビューをタッチパネルディスプレイ２１に表示する（Ｓ３２）。具体的には例えば図８Ｃに示す印刷プレビューがタッチパネルディスプレイ１１に表示されている状態で、右を示す操作対象オブジェクト２１ｈがタップされると、制御部２２は、ステップＳ３１において印刷プレビューで表されている紙の左端を余白の領域として選択する。そして制御部２２は、印刷対象領域Ｉ（３）を右に移動させ、図８Ｄに示す印刷プレビューをタッチパネルディスプレイ１１に表示する。
【００３６】
図５Ａに示すように、制御部２２は、印刷設定の一項目としての拡大倍率が設定されると、拡大倍率以外の項目を含む印刷設定に基づいて原稿データから印刷データを生成し、印刷データに基づいて印刷機構２５を制御して印刷を実行する（Ｓ４）。その結果、印刷プレビューで表示されたレイアウトで原稿データが紙に印刷される。
【００３７】
以上説明した実施例によると、原稿データから余白を除いた印刷対象領域の全体を紙に印刷可能な最大の拡大倍率を自動設定する機能を複合機２に備えることにより、原稿データから印刷不要な余白を除いた領域を紙に印刷可能な最大の拡大倍率をユーザーが設定することが容易になる。そして自動変倍処理を起動するだけで、原稿データ全体を最も大きく印刷するための拡大倍率を容易に設定できる。また、切り出し拡大処理を起動するだけで、原稿データから余白を除いた領域全体を最も大きく印刷するための拡大倍率を容易に設定できる。また原稿と印刷機構２５にセットされている紙の姿勢に関わらずに、原稿データから余白を除いた領域全体を最も大きく印刷するための拡大倍率を容易に設定できる。
【００３８】
３．他の実施形態
尚、本発明の技術的範囲は、上述した実施例に限定されるものではなく、本発明の要旨を逸脱しない範囲内において種々変更を加え得ることは勿論である。
【００３９】
例えば次に述べるように、第一の拡大指示と第二の拡大指示を連続的に受け付けても良い。図７に示す操作対象オブジェクト２１ｃ、２１ｅは任意の拡大倍率を設定する指示を受け付けるためのオブジェクトである。制御部２２は、操作対象オブジェクト２１ｃがタップされると拡大倍率を小さくし、操作対象オブジェクト２１ｅがタップされると拡大倍率を大きくする。
【００４０】
そして制御部２２は、印刷機構２５にセットされている紙に占める原稿データ全体が表す画像の割合が最も大きくなる拡大倍率を越えるように操作対象オブジェクト２１ｅがタップされるとき、所定回数のタップに対しては拡大倍率を変更せずに維持し、タップが所定回数を超えると拡大倍率を変化させる。また制御部２２は、印刷機構２５にセットされている紙に占める印刷対象領域全体が表す画像の割合が最も大きくなる拡大倍率を越えるように操作対象オブジェクト２１ｅがタップされるとき、所定回数のタップに対しては拡大倍率を変更せずに維持し、タップが所定回数を超えると拡大倍率を変化させる。図９Ａはこのように対応付けられた操作対象オブジェクト２１ｃに対する操作と拡大倍率との関係を示している。
【００４１】
また、制御部２２は、印刷機構２５にセットされている紙に占める原稿データ全体が表す画像の割合が最も大きくなる拡大倍率を下回るように操作対象オブジェクト２１ｃがタップされるとき、所定回数のタップに対しては拡大倍率を変更せずに維持し、タップが所定回数を超えると拡大倍率を変化させる。また制御部２２は、印刷機構２５にセットされている紙に占める印刷対象領域全体が表す画像の割合が最も大きくなる拡大倍率を下回るように操作対象オブジェクト２１ｃがタップされるとき、所定回数のタップに対しては拡大倍率を変更せずに維持し、タップが所定回数を超えると拡大倍率を変化させる。図９Ｂはこのように対応付けられた操作対象オブジェクト２１ｃに対する操作と拡大倍率との関係を示している。
【００４２】
そして、印刷機構２５にセットされている紙に占める原稿データ全体が表す画像の割合が最も大きくなる拡大倍率が設定されるとき、制御部２２は、上述した自動拡大処理と同様の処理を行って印刷プレビューをタッチパネルディスプレイ２１に表示する。また印刷機構２５にセットされている紙に占める印刷対象領域全体が表す画像の割合が最も大きくなる拡大倍率が設定されるとき、制御部２２は、上述した切り出し拡大処理と同様の処理を行って印刷プレビューをタッチパネルディスプレイ２１に表示する。
【００４３】
また例えば、印刷機構２５にセットされている紙に占める印刷対象領域全体が表す画像の割合が最も大きくなる拡大倍率が設定されている状態において、拡大倍率をさらに大きくするための操作対象オブジェクト２１ｅ、２１ｆがタップされた場合には、制御部２２は、より大きなサイズの紙を印刷機構２５にセットするようにユーザーに案内してもよい。
【００４４】
なお、複合機に本発明を適用した実施例を説明したが、本発明は、読み取り機構を備えないプリンターやプリンターと接続可能なＰＣやスマートフォンなどの通信端末に適用することも可能である。例えば、原稿データをスマートフォン１から複合機２に原稿データを送信して印刷するとき、スマートフォン１のタッチパネルディスプレイ１１に印刷プレビューとともに拡大倍率を設定するための操作画面を表示しても良い。この場合、スマートフォン１の制御部１２が上述した自動変倍処理および切り出し拡大処理を実行すればよい。その制御部１２が取得部、原稿解析部、指示受付部、レイアウト部および表示部として機能するための印刷制御プログラムは、サーバーからダウンロードして制御部１２のフラッシュメモリに記憶しておけばよい。
また、操作対象オブジェクトの一部又は全部を機械スイッチとして、画面とは別に設けてもよい。
【符号の説明】
【００４５】
２１ａ-２１ｊ…操作対象オブジェクト、１…スマートフォン、２…複合機、２…プリンター、３…原稿、１１…タッチパネルディスプレイ、１２…制御部、１３…無線ＬＡＮ通信部、２１…タッチパネルディスプレイ、２１ｎ…印刷プレビュー、２２…制御部、２３…無線ＬＡＮ通信部、２４…スキャン機構、２５…印刷機構、２４１…原稿台ガラス、２４１ａ…スキャン領域、２４１ｂ…スキャン領域、２４２…密着型リニアイメージセンサー、２４３…カバー、Ｉ…原稿データ、印刷対象領域、Ｐ…紙
【図１】
2017135492.tif 000003
【図２】
2017135492.tif 000004
【図３】
2017135492.tif 000005
【図４】
2017135492.tif 000006
【図５】
2017135492.tif 000007
【図６】
2017135492.tif 000008
【図７】
2017135492.tif 000009
【図８】
2017135492.tif 000010
【図９】
2017135492.tif 000011